(57)【要約】【課題】高い断熱性及び防水性、防湿性が要求される冷凍、冷蔵倉庫の屋根構造であって、躯体と断熱層、防水層が一体化された断熱防水屋根構造を、より簡易な工法により、より安価に提供する。【解決手段】躯体であるデッキプレート１１の上に、断熱パネルからなる断熱層２１と、防水層３１と、反射性塗料からなる反射性塗布層４１とを備えた断熱防水屋根構造において、断熱パネルを固定具２５によってデッキプレート１１或いは、下層の断熱パネルに取り付けられている固定具２５に取り付けて、断熱層２１をデッキプレート１１に固定する。【選択図】図１
0003182576.tif 000002
【実用新案登録請求の範囲】
【請求項１】
建築物の屋根の躯体と、前記躯体上に固定具により取り付けられた少なくとも１枚の断熱パネルを備えた断熱層と、前記断熱層の上に積層された防水層とを有することを特徴とする断熱防水屋根構造。
【請求項２】
前記固定具が、固定金物とワッシャーとビスからなり、前記固定金物が、帯状部の両側に、前記帯状部の全長に亘る或いは部分的に連なる脚条を有するチャンネル材状をなし、前記脚条の先端部が三角形状の凸歯部を連ねた鋸歯状をなすことを特徴とする請求項１に記載の断熱防水屋根構造。
【請求項３】
前記防水層が、少なくとも２枚のルーフィングシートからなるアスファルト防水層である請求項１または２に記載の断熱防水屋根構造。
【請求項４】
前記断熱層が少なくとも２枚の断熱パネルからなり、最上層の断熱パネルが、ポリウレタンフォームからなる断熱板の、下層の断熱パネル及び上層の防水層に接する表面に表面材としてガラス繊維不織布を被覆してなり、前記最上層以外の断熱パネルがポリスチレンフォームからなる断熱板であることを特徴とする請求項３に記載の断熱防水屋根構造。
【請求項５】
前記断熱層が、少なくとも１枚の断熱パネルからなる副断熱層を複数段積層してなり、最下段の副断熱層が、前記固定具を前記副断熱層を貫通させて前記躯体に固定することにより、前記躯体に取り付けられ、次段以上の副断熱層が、前記固定具を前記副断熱層を貫通させてより下段の副断熱層に取り付けられている固定具に固定することにより、前記下段の副断熱層に取り付けられていることを特徴とする請求項１〜４のいずれか１項に記載の断熱防水屋根構造。
【請求項６】
前記躯体とその上に積層された断熱パネル、及び、互いに積層された断熱パネル同士が接着剤により接着固定されている請求項５に記載の断熱防水屋根構造。
【請求項７】
最上層に太陽光線を反射する反射性塗料の反射性塗布層を有することを特徴とする請求項１〜６のいずれか１項に記載の断熱防水屋根構造。
【考案の詳細な説明】
【技術分野】
【０００１】
本考案は、食料品倉庫等の断熱性及び防水性、防湿性が要求される建築物の断熱防水屋根構造に関し、特に、冷凍、冷蔵倉庫に適した高度な断熱性と防水性、防湿性を備えた断熱防水屋根構造に関する。
【背景技術】
【０００２】
建築物の屋根に断熱性と防水性、防湿性を持たせた断熱防水屋根構造としては、建築物の躯体であるコンクリート上に断熱材を載置し、該コンクリート表面から断熱材を貫通する金物を取り付け、その先端に屋根材を取り付けた外断熱構造が実施されている（例えば、特許文献１参照）。
【先行技術文献】
【特許文献】
【０００３】
【特許文献１】特開２０００−３３６７８９号公報
【考案の概要】
【考案が解決しようとする課題】
【０００４】
上記した断熱防水屋根構造は、軽量で、補修が比較的容易であるという利点があるものの、工期が比較的長く、費用も高価であった。また、断熱材を貫通する金物の先端に屋根材を取り付けるため、断熱材の厚さが金物の長さで制限されてしまう。そのため、構築する屋根の断熱材の厚さに応じた金物を用意する必要があり、コスト的に不利であった。
【０００５】
本考案の課題は、より簡易な工法により、より安価に軽量の断熱防水屋根構造を提供することにある。
【課題を解決するための手段】
【０００６】
本考案は、建築物の屋根の躯体と、前記躯体上に固定具により取り付けられた少なくとも１枚の断熱パネルを備えた断熱層と、前記断熱層の上に積層された防水層とを有することを特徴とする断熱防水屋根構造である。
【０００７】
本考案においては、下記の構成を好ましい態様として含む。
【０００８】
前記固定具が、固定金物とワッシャーとビスからなり、前記固定金物が、帯状部の両側に、前記帯状部の全長に亘る或いは部分的に連なる脚条を有するチャンネル材状をなし、前記脚条の先端部が三角形状の凸歯部を連ねた鋸歯状をなす。
【０００９】
前記防水層が、少なくとも２枚のルーフィングシートからなるアスファルト防水層である。さらには、前記断熱層が少なくとも２枚の断熱パネルからなり、最上層の断熱パネルが、ポリウレタンフォームからなる断熱板の、下層の断熱パネル及び上層の防水層に接する表面に表面材としてガラス繊維不織布を被覆してなり、前記最上層以外の断熱パネルがポリスチレンフォームからなる断熱板である。
【００１０】
前記断熱層が、少なくとも１枚の断熱パネルからなる副断熱層を複数段積層してなり、最下段の副断熱層が、前記固定具を前記副断熱層を貫通させて前記躯体に固定することにより、前記躯体に取り付けられ、次段以上の副断熱層が、前記固定具を前記副断熱層を貫通させてより下段の副断熱層に取り付けられている固定具に固定することにより、前記下段の副断熱層に取り付けられている。
【００１１】
前記躯体とその上に積層された断熱パネル、及び、互いに積層された断熱パネル同士が接着剤により接着固定されている。
【００１２】
最上層に太陽光線を反射する反射性塗料の反射性塗布層を有する。
【考案の効果】
【００１３】
本考案は、建築物の躯体に、断熱パネルを固定具により取り付けた断熱層の上に防水層を積層するだけで構築することができ、該断熱層は、複数枚の断熱パネルを積層し、上方の固定具を下方の固定具に取り付けることで任意の厚さに調整することができる。そのため、断熱層の厚さに応じて部材を変える必要がなく、軽量の断熱防水屋根構造をより短い工期で、より安価に構築することができる。また、構造が簡易であるため、補修も容易である。
【００１４】
また、本考案では、防水層を２層以上のルーフィングシートからなるアスファルト防水層とすることで、より高い防水性、防湿性が得られる。
【００１５】
さらに、本考案では、躯体と断熱パネル、断熱パネル同士を接着剤によって接着することにより、躯体と断熱層とをより強固に一体化した構造を提供することができる。
【００１６】
さらにまた、本考案では、最上層に反射性塗料からなる反射性塗布層を設けることにより、太陽光線による断熱層の温度上昇を低減することができ、より断熱性を高めることができる。
【００１７】
よって、本考案は、高い断熱性と防水性、防湿性が要求される冷凍、冷蔵倉庫などの断熱防水屋根構造をより安価に提供することができる。
【図面の簡単な説明】
【００１８】
【図１】本考案の断熱防水屋根構造の一実施形態の構成を模式的に示す分解斜視図である。
【図２】図１の実施形態の断面模式図である。
【図３】本考案に好ましく用いられる固定具の構成を模式的に示す分解斜視図である。
【図４】本考案に好ましく用いられる固定具の固定金具の他の例の構成を模式的に示す斜視図である。
【考案を実施するための形態】
【００１９】
本考案の断熱防水屋根構造は、建築物の屋根の躯体と、該躯体上に取り付けられた断熱層と、該断熱層上に積層された防水層とを基本構造とする。係る断熱層は少なくとも１枚の断熱パネルを備えている。
【００２０】
本考案において好ましくは、防水層が２枚以上のルーフィングシートからなるアスファルト防水層であり、断熱層の最上層の断熱パネルには、係るアスファルト防水層の形成に適した耐熱性を持たせることが望ましい。さらには、最上層に反射性塗料を塗布した反射性塗布層を設けることが好ましい。
【００２１】
以下に、本考案を実施形態を挙げて説明する。
【００２２】
図１は、本考案の好ましい実施形態の構成を分解して模式的に示す斜視図であり、防水層上に反射性塗布層を設けた例である。図２に、係る実施形態の垂直方向における断面模式図を示す。
【００２３】
本考案において、建築物の躯体としては、図１，図２に示すようなデッキプレート１１が挙げられるが、本考案はこれに限定されるものではなく、コンクリート躯体なども挙げられる。
【００２４】
本考案においては、断熱層２１の断熱パネル２１ａ〜２１ｆは固定具２５によってデッキプレート１１に取り付けられる。断熱パネル２１ａ〜２１ｆの厚さは最大で１００ｍｍ、断熱層２１の厚さは５０ｍｍ〜５００ｍｍ程度であり、断熱層２１が１枚の断熱パネルで構成される場合には、係る断熱パネルをデッキプレート１１に固定具２５で取り付けるだけで断熱層２１がデッキプレート１１に固定される。
【００２５】
しかしながら、本例では、断熱層２１が６枚の断熱パネル２１ａ〜２１ｆを積層してなるため、これらを一体で固定具２５でデッキプレート１１に取り付けることができない。本考案では、このように断熱層２１が厚く、全部の断熱パネルを固定具２５でデッキプレート１１に取り付けることができない場合には、断熱層２１を複数段の副断熱層に分割し、副断熱層毎に固定具２５で下段のデッキプレート１１或いは副断熱層に固定する手法をとる。
【００２６】
具体的には、本例では、断熱層２１を３段の副断熱層２１Ａ〜２１Ｃに分割する。各副断熱層は２枚の断熱パネルからなる。そして、固定具２５を該副断熱層２１Ａを貫通させてデッキプレート１１に固定することにより、最下段の副断熱層２１Ａをデッキプレート１１に取り付ける。次段の副断熱層２１Ｂは固定具２５によって最下段の副断熱層２１Ａに取り付けるが、この時、副断熱層２１Ａをデッキプレート１１に取り付けている固定具２５に、副断熱層２１Ｂを取り付ける固定具２５を、副断熱層２１Ｂを貫通させて固定する。同様に、最上段の副断熱層Ｃを下段の副断熱層２１Ｂに取り付ける際にも、副断熱層２１Ｂを副断熱層２１Ａに取り付けている固定具２５に、副断熱層２１Ｃを取り付ける固定具２５を、副断熱層２１Ｃを貫通させて固定する。
【００２７】
このように、デッキプレート１１と固定具２５、固定具２５同士がそれぞれ副断熱層を貫通して固定されることで、デッキプレート１１と断熱層２１とが強固に固定されて一体化する。尚、図２において、副断熱層２１Ｃを副断熱層２１Ｂに取り付ける固定具については図示を省略する。
【００２８】
尚、デッキプレート１１と最下層の断熱パネル２１ａ、互いに積層される断熱パネル２１ｂと２１ｃ、２１ｃと２１ｄ、２１ｄと２１ｅ、２１ｅと２１ｆとは接着剤を用いて互いに接着させることが好ましい。
【００２９】
図３に、本考案で好ましく用いられる固定具２５の構成例を示す。係る固定具２５は、固定金具２５ａとワッシャー２５ｂとビス２５ｃとからなり、固定金具２５ａは、図３に示すように、帯状部の両側に該帯状部の全長に亘る脚条を有するチャンネル材状をなし、該脚条の先端部が三角形状の凸歯部を連ねた鋸歯状をなす構成となっている。そして、固定具２５同士を固定させる場合には、一方の固定具２５のビス２５ｃを他方の固定具２５の固定金具２５ａの帯状部に取り付けることで互いに強固に固定される。また、図３に示した固定金具２５ａは、脚条が帯状部の全長に亘って形成されていたが、図４に示すように、脚条が帯状部に部分的に連なって形成された形態でも良い。
【００３０】
図１，図２においては、副断熱層２１Ａ〜２１Ｃはそれぞれ２枚の断熱パネルで構成されているが、本考案はこれに限定されず、固定具２５のビス２５ｃの長さと断熱パネル２１ａ〜２１ｆの厚さに応じて副断熱層を構成する断熱パネルの枚数を調整すればよい。
【００３１】
本考案では、図１，図２に示すように、断熱層２１の上にさらに防水層３１を積層するが、好ましくは少なくとも２枚のルーフィングシートからなるアスファルト防水層である。本例では防水層３０をルーフィングシート３１ａ，３１ｂの２層構成とした例を示す。
【００３２】
具体的には、例えば、１層目のルーフィングシート３１ａは、断熱層２１の最上層の断熱パネル２１ｆに対して、常温粘着工法で貼り付け、２層目のルーフィングシート３１ｂは、代表的には加熱溶融させたアスファルトを流しながら施工する熱工法にて貼り重ねる。係る熱工法以外の施工方法としては、常温粘着工法やバーナー火炎によりルーフィングシートに塗覆させた改質アスファルト層を溶融させて、該ルーフィングシートを積層するトーチ工法が挙げられる。２層目のルーフィングシート３１ｂについては、好ましくは防水層３１の耐久性や耐熱性を向上させるため、ルーフィングシートに塗覆させるアスファルトに各種高分子材料や無機質充填材を添加した改質アスファルトルーフィングシートを用いることが好ましい。
【００３３】（公序良俗違反につき、不掲載）
【００３４】  尚、アスファルト防水層の構築には種々の工法が挙げられるが、２６０℃程度の熱アスファルト防水を施す場合には、下層となる断熱パネル２１ｆに充分な耐熱性を持たせておく必要がある。このような２６０℃程度の耐熱性を有する断熱パネル２１ｆとしては、ポリウレタンフォームからなる断熱板の、上層の防水層３１に接する表面、好ましくは該表面と下層の断熱パネル２１ｅと接する表面との両面に、耐熱性の表面材を被覆してなる構成が好ましく、該表面材としては、ガラス繊維不織布が好ましく、特に、アスファルトを含浸させたガラス繊維不織布が好ましい。断熱パネル２１ｆとして具体的には、（公序良俗違反につき、不掲載）が挙げられる。係る断熱パネルは耐熱型硬質ポリウレタンフォームからなる断熱板の両表面にアスファルトを含浸させたガラス繊維不織布を被覆しており、寸法安定性、耐熱性に優れ、本考案には望ましい。
【００３５】  最上層以外の断熱パネル２１ａ〜２１ｅについては、断熱性の高いポリスチレンフォームからなる断熱板が好ましく用いられ、例えば、（公序良俗違反につき、不掲載）が挙げられる。
【００３６】  本考案では、最上層に太陽光線を反射する反射性塗料を塗布して反射性塗布層４１を設けておくことにより、日照による防水層３１の温度上昇が低減されるため、好ましい。係る反射性塗料としては、（公序良俗違反につき、不掲載）が好ましく挙げられる。
【符号の説明】
【００３７】
１１：デッキプレート、２１：断熱層、２１ａ〜２１ｆ：断熱パネル、２１Ａ〜２１Ｃ：副断熱層、２５：固定具、２５ａ：固定金物、２５ｂ：ワッシャー、２５ｃ：ビス、３１，：防水層、３１ａ，３１ｂ：ルーフィングシート、４１：反射性塗布層
【図１】
0003182576.tif 000003
【図２】
0003182576.tif 000004
【図３】
0003182576.tif 000005
【図４】
0003182576.tif 000006
【手続補正書】
【提出日】平成25年1月28日(2013.1.28)
【手続補正１】
【補正対象書類名】明細書
【補正対象項目名】００３３
【補正方法】削除
【補正の内容】
【手続補正２】
【補正対象書類名】明細書
【補正対象項目名】００３４
【補正方法】変更
【補正の内容】
【００３４】
尚、アスファルト防水層の構築には種々の工法が挙げられるが、２６０℃程度の熱アスファルト防水を施す場合には、下層となる断熱パネル２１ｆに充分な耐熱性を持たせておく必要がある。このような２６０℃程度の耐熱性を有する断熱パネル２１ｆとしては、ポリウレタンフォームからなる断熱板の、上層の防水層３１に接する表面、好ましくは該表面と下層の断熱パネル２１ｅと接する表面との両面に、耐熱性の表面材を被覆してなる構成が好ましく、該表面材としては、ガラス繊維不織布が好ましく、特に、アスファルトを含浸させたガラス繊維不織布が好ましい。耐熱型硬質ポリウレタンフォームからなる断熱板の両表面にアスファルトを含浸させたガラス繊維不織布を被覆した断熱パネルは、寸法安定性、耐熱性に優れ、本考案には望ましい。
【手続補正３】
【補正対象書類名】明細書
【補正対象項目名】００３５
【補正方法】変更
【補正の内容】
【００３５】
最上層以外の断熱パネル２１ａ〜２１ｅについては、断熱性の高いポリスチレンフォームからなる断熱板が好ましく用いられる。
【手続補正４】
【補正対象書類名】明細書
【補正対象項目名】００３６
【補正方法】変更
【補正の内容】
【００３６】
本考案では、最上層に太陽光線を反射する反射性塗料を塗布して反射性塗布層４１を設けておくことにより、日照による防水層３１の温度上昇が低減されるため、好ましい。係る反射性塗料としては、エマルション系アクリル保護塗料が好ましく挙げられる。